(57)【要約】【課題】電子メニューとして客に提示される各料理品目のボリューム感を容易にかつ正確に比較できるようにする。【解決手段】各品目のリストの中からいずれか１品目の選択入力を受付ける。また、同リストの中から選択入力を受付けた選択品目と比較する比較品目の選択入力を受付ける。選択品目の略実寸大の三次元画像と比較品目の略実寸大の三次元画像とを、少なくとも一部を重ね合わせて立体視ディスプレイ１７に表示させる。このとき、選択品目の三次元画像と、比較品目の三次元画像は、いずれか一方を不透明の画像とし、他方を半透明の画像とする。【選択図】      図２１
2011186830.tif 000002
【特許請求の範囲】
【請求項１】
三次元画像を表示面に立体視可能に表示するディスプレイと、
メニューに掲載される品目毎に、その品目を特定可能な品目特定データとその品目の略実寸大の不透明の三次元画像を表わす第１の画像データとその品目の略実寸大の半透明の三次元画像を表わす第２の画像データとを含むメニューデータを記憶するメニューデータ記憶部と、
前記メニューデータ記憶部に記憶された各品目のメニューデータにそれぞれ含まれる品目特定データに基づいて、各品目のリストを前記ディスプレイに表示させるリスト表示制御手段と、
前記各品目のリストの中からいずれか１品目の選択入力を受付ける選択品目受付手段と、
この選択品目受付手段により選択入力を受付けた選択品目と比較する比較品目の選択入力を受付ける比較品目受付手段と、
前記選択品目のメニューデータに含まれる第１または第２の画像データと前記比較品目のメニューデータに含まれる第２または第１の画像データとに基づいて、前記選択品目の略実寸大の不透明または半透明の三次元画像と前記比較品目の略実寸大の半透明または不透明の三次元画像とを、少なくとも一部を重ね合わせて前記ディスプレイに表示させる比較画像表示制御手段と、
を具備したことを特徴とする電子メニュー装置。
【請求項２】
前記比較品目受付手段は、前記選択品目と同一品目でサイズの異なる品目の選択入力を受付ける手段であり、
前記比較画像表示制御手段は、三次元画像が半透明の画像である品目の方が、三次元画像が不透明の画像である品目よりサイズが小さい場合は、サイズの大きい側の品目の三次元画像より手前にサイズの小さい側の品目の三次元画像を重ね合わせて前記ディスプレイに表示させ、三次元画像が半透明の画像である品目の方が、三次元画像が不透明の画像である品目よりサイズが大きい場合は、サイズの大きい側の品目の三次元画像より奥側にサイズの小さい側の品目の三次元画像を重ね合わせて前記ディスプレイに表示させることを特徴とする請求項１記載の電子メニュー装置。
【請求項３】
前記比較品目受付手段は、前記選択品目と同一のカテゴリの中から異なる品目の選択入力を受付ける手段であり、
前記比較画像表示制御手段は、不透明の画像である品目の三次元画像と半透明の画像である品目の三次元画像とを、一部が重なる状態で半透明の三次元画像が不透明の三次元画像の手前側に配置されるように並べて前記ディスプレイに表示させることを特徴とする請求項１記載の電子メニュー装置。
【請求項４】
前記比較画像表示制御手段により前記ディスプレイに三次元画像が表示された選択品目の注文を受付ける注文受付手段と、
前記注文受付手段により注文を受付けた選択品目に関する情報を記憶する注文情報記憶部と、
前記注文情報記憶部に記憶された選択品目に関する情報を外部装置に伝送する通信手段と、
をさらに具備したことを特徴とする請求項１乃至３のうちいずれか１記載の電子メニュー装置。
【請求項５】
三次元画像を表示面に立体視可能に表示するディスプレイを備えたコンピュータを、電子メニュー装置として機能させるためのプログラムであって、
前記コンピュータに、
メニューに掲載される品目毎にその品目を特定可能な品目特定データとその品目の略実寸大の不透明の三次元画像を表わす第１の画像データとその品目の略実寸大の半透明の三次元画像を表わす第２の画像データとを含むメニューデータを記憶するメニューデータ記憶部にアクセスして、各品目のメニューデータにそれぞれ含まれる品目特定データに基づき各品目のリストを前記ディスプレイに表示させるリスト表示制御機能と、
前記各品目のリストの中からいずれか１品目の選択入力を受付ける選択品目受付機能と、
前記選択品目受付機能により選択入力を受付けた選択品目と比較する比較品目の選択入力を受付ける比較品目受付機能と、
前記メニューデータ記憶部にアクセスして、前記選択品目のメニューデータに含まれる第１または第２の画像データと前記比較品目のメニューデータに含まれる第２または第１の画像データとを取り込み、前記選択品目の略実寸大の不透明または半透明の三次元画像と前記比較品目の略実寸大の半透明または不透明の三次元画像とを、少なくとも一部を重ね合わせて前記ディスプレイに表示させる比較画像表示制御機能と、
を実現させるための電子メニュープログラム。
【請求項６】
前記コンピュータに、
前記ディスプレイに三次元画像が表示された選択品目の注文を受付ける機能、
注文を受付けた選択品目に関する情報を注文情報記憶部に記憶させる機能と、
前記注文情報記憶部に記憶された選択品目に関する情報を通信手段を介して外部装置に伝送させる機能と、
をさらに実現させるための請求項５記載の電子メニュープログラム。
【発明の詳細な説明】
【技術分野】
【０００１】
本発明は、飲食店向けの電子メニュー装置及びコンピュータを上記電子メニュー装置として機能させるためのプログラムに関する。
【背景技術】
【０００２】
例えばファミリーレストラン等の飲食店向けの電子メニュー装置として、従来、メニューに掲載されている複数の料理品目の名称と二次元画像とを関連付けて表示装置の画面に一覧表示させるものがある。この種の電子メニュー装置において、客層が指定されると、画面にその客層で人気の高い料理品目の画像を他の料理品目の画像よりも拡大して見せることで、客層毎に最適な料理品目を提案する技術は既に知られている。（例えば、特許文献１参照）
【発明の概要】
【発明が解決しようとする課題】
【０００３】
ところで、料理品目の画像を実寸大とすれば、客は、その品目のボリューム感を把握し易くなる。しかし、電子メニュー装置の一画面に多くの料理品目の画像をまとめて実寸大で表示させることは、画面サイズの制約から到底困難である。このため、電子メニュー装置に一覧表示される各料理品目の画像は、通常、実寸大ではない。
【０００４】
仮に、電子メニュー装置の画面サイズを変更することなく、料理品目の画像を客に実寸大で提示しようとすると、メニューリストの中から選択された１品目の画像だけを実寸大で表示させる方法が考えられる。しかし、一品目だけでは他の品目とボリューム感を対比させることは困難である。
【０００５】
飲食店で提供される料理品目の中には、例えばＳ（Small），Ｍ（Middle），Ｌ（Large）のようにサイズを選べる品目がある。この種の料理品目に対して、サイズが異なるとボリューム感がどの程度違うのかを把握したいという要望が、多くの客からある。また、類似した複数の料理品目のボリューム感を比較して、自分が食べきれる量の品目を選択したいという客もいる。
【０００６】
このような客は、比較対象とする料理品目を１品ずつ選択して画面を切り換える。そして、各画面にそれぞれ表示される各料理品目の実寸大画像から、料理品目毎にボリューム感を把握して比較せざるを得ない。このため、非常に手間と時間がかかる。また、同時に対比していないためにボリューム感を正確に比較することはできない。
【０００７】
本発明はこのような事情に基づいてなされたものであり、その目的とするところは、電子メニューとして客に提示される各料理品目のボリューム感を容易にかつ正確に比較することができ、客の満足度を高め得ることにある。
【課題を解決するための手段】
【０００８】
本発明は、三次元画像を表示面に立体視可能に表示するディスプレイと、メニューに掲載される品目毎に、その品目を特定可能な品目特定データとその品目の略実寸大の不透明の三次元画像を表わす第１の画像データとその品目の略実寸大の半透明の三次元画像を表わす第２の画像データとを含むメニューデータを記憶するメニューデータ記憶部と、メニューデータ記憶部に記憶された各品目のメニューデータにそれぞれ含まれる品目特定データに基づいて、各品目のリストを前記ディスプレイに表示させるリスト表示制御手段と、各品目のリストの中からいずれか１品目の選択入力を受付ける選択品目受付手段と、この選択品目受付手段により選択入力を受付けた選択品目と比較する比較品目の選択入力を受付ける比較品目受付手段と、選択品目のメニューデータに含まれる第１または第２の画像データと比較品目のメニューデータにそれぞれ含まれる第２または第１の画像データとに基づいて、選択品目の略実寸大の不透明または半透明の三次元画像と比較品目の略実寸大の半透明または不透明の三次元画像とを、少なくとも一部を重ね合わせてディスプレイに表示させる比較画像表示制御手段とを備えたものである。
【発明の効果】
【０００９】
かかる手段を講じた本発明によれば、電子メニューとして客に提示される各料理品目のボリューム感を容易にかつ正確に比較することができ、客の満足度を高め得る効果を奏する。
【図面の簡単な説明】
【００１０】
【図１】本発明の一実施の形態である電子メニューシステムの構成図。
【図２】カテゴリデータベースに記憶されるレコードのデータ構造を示す図。
【図３】品目データベースに記憶されるレコードのデータ構造を示す図。
【図４】画像データベースに記憶されるレコードのデータ構造を示す図。
【図５】画面データベースに記憶されるレコードのデータ構造を示す図。
【図６】電子メニュー端末の構成を示すブロック図。
【図７】電子メニュー端末に設けられる立体視ディスプレイの取付例を示す模式図。
【図８】電子メニュー端末の立体視ディスプレイに表示される主要な画面の変遷図。
【図９】カテゴリ画面の一レイアウト例を示す図。
【図１０】品目一覧画面の一レイアウト例を示す図。
【図１１】品目詳細画面の一レイアウト例を示す図。
【図１２】セット品目詳細画面の一レイアウト例を示す図。
【図１３】注文確認画面の一レイアウト例を示す図。
【図１４】注文完了画面の一レイアウト例を示す図。
【図１５】電子メニュープログラムの起動時に電子メニュー端末のＣＰＵが実行する処理の手順を示す流れ図。
【図１６】図１５におけるカテゴリ選択処理の手順を具体的に示す流れ図。
【図１７】図１６における品目詳細画面表示処理の手順を具体的に示す流れ図。
【図１８】図１７におけるセット画面表示処理の手順を具体的に示す流れ図。
【図１９】図１７または図１８における比較画面表示処理の手順を具体的に示す流れ図。
【図２０】図１６，図１７または図１８における注文確認画面表示処理の手順を具体的に示す流れ図。
【図２１】セット画面表示処理の中で表示される比較画面の一例を示す図。
【図２２】第２の実施形態において、電子メニュー端末のＣＰＵが実行するカテゴリ選択処理の手順を具体的に示す流れ図。
【図２３】図２２における品目画像選択処理の手順を具体的に示す流れ図。
【図２４】図２３における比較画面表示処理の手順を具体的に示す流れ図。
【図２５】第２の実施形態において、比較画面表示処理の中で表示される比較画面の一例を示す図。
【発明を実施するための形態】
【００１１】
以下、本発明に係る第１の実施形態及び第２の実施形態について、それぞれ図面を用いて説明する。なお、各実施形態は、いずれもファミリーレストラン等の飲食店に構築される電子メニューシステムに本発明を適用した場合である。
【００１２】
［第１の実施形態］
図１は、電子メニューシステムの全体構成図である。電子メニューシステムは、複数の電子メニュー端末１と、データベースサーバ２と、注文管理サーバ３とからなる。各電子メニュー端末１は、それぞれLocal Area Network（ＬＡＮ）４を介して、データベースサーバ２及び注文管理サーバ３に接続している。
【００１３】
注文管理サーバ３は、顧客の注文データを管理するのに特化したコンピュータ機器である。注文管理サーバ３は、専用回線５を介して、厨房端末６とPoint Of Sales（ＰＯＳ）端末７とを接続している。厨房端末６は、各顧客の注文データに基づいて厨房への調理指示データを生成し、この指示データを表示または印字出力する。ＰＯＳ端末７は、会計を申し出た顧客の注文データから代金を算出し、その代金に対する支払データを処理してレシートを発行する。
【００１４】
なお、注文管理サーバ３と厨房端末６及びＰＯＳ端末７とを接続する回線は、専用回線５に限定されるものではない。例えば、厨房端末６とＰＯＳ端末７をＬＡＮ４に接続し、ＬＡＮ４を介して注文管理サーバ３との間でデータを送受信してもよい。
【００１５】
データベースサーバ２は、カテゴリデータベース２Ａ、品目データベース２Ｂ、画像データベース２Ｃ、画面データベース２Ｄ等の種々のデータベースを管理するのに特化したコンピュータ機器である。
【００１６】
カテゴリデータベース２Ａは、メニューに掲載される各料理品目のカテゴリに関する情報を記憶する。図２は、カテゴリデータベース２Ａに記憶されるレコードのデータフォーマットである。カテゴリデータベース２Ａは、カテゴリコードとカテゴリ名称とを含むレコードを、カテゴリの数だけ記憶する。カテゴリ名称は、ハンバーガー類、パスタ類、カレー類、ドリンク類、デザート類等のカテゴリを表わす名称である。カテゴリコードは、各カテゴリを識別するためにカテゴリ毎に割り当てられた固有のコードである。
【００１７】
品目データベース２Ｂは、各料理品目に関する情報を記憶する。図３は、品目データベース２Ｂに記憶されるレコードのデータフォーマットである。品目データベース２Ｂは、品目コード、属性カテゴリコード、品目名称、単価、サイズ選択フラグ、セットフラグ、セット品目コード、一覧用画像コード、三次元画像コード、比較用画像コードを含むレコードを、料理品目の数だけ記憶する。
【００１８】
品目コードは、各料理品目を識別するために品目毎に割り当てられた固有のコードである。属性カテゴリコードは、その料理品目が所属するカテゴリのカテゴリコードである。品目名称は、その料理品目に付された名称である。単価は、その料理品目１点あたりの価格である。サイズ選択フラグは、サイズを選択できる料理品目か否かを識別するデータである。サイズは、Ｓ（Small），Ｍ（Middle），Ｌ（Large）の３種類である。セットフラグは、この料理品目をメインとするセット品目が設定されているか否かを識別するデータである。セット品目コードは、この料理品目をメインとするセット品目に割り当てられた品目コードである。
【００１９】
一覧用画像コードは、その料理品目の一覧用画像データを識別するためのコードである。一覧用画像データは、後述する品目一覧画面にその料理品目の二次元画像を表示させるのに必要なデータである。
【００２０】
三次元画像コードは、その料理品目の三次元画像データを識別するためのコードである。三次元画像データは、後述する品目詳細画面６０またはセット品目詳細画面７０にその料理品目の略実寸大の三次元画像を不透明の画像として表示させるのに必要なデータである。サイズを選択できる料理品目の場合、三次元画像データはサイズ別に用意されている。したがって、品目データベース２Ｂには、三次元画像コードがサイズ別に設定されている。
【００２１】
比較用画像コードは、その料理品目の比較用画像データを識別するためのコードである。比較用画像データは、対応する三次元画像コードにより表示される略実寸大の三次元画像と同一の三次元画像を半透明の画像として表示させるのに必要なデータである。サイズを選択できる料理品目の場合、比較用画像データもサイズ別に用意されている。したがって、品目データベース２Ｂには、比較用画像コードもサイズ別に設定されている。
【００２２】
セット品目の品目コードがセットされたレコードも、品目データベース２Ｂに記憶されている。セット品目のメインとなる料理品目は、メインアイテムと称される。他のドリンク，フライドポテトなどの付属品目は、サブアイテムと称される。サブアイテムは、サイズを選択できる。したがって、セット品目のレコードは、メインアイテムの三次元画像コードの他に、各サブアイテムの三次元画像コードと比較用画像コードとをそれぞれサイズ別に記憶している。
【００２３】
画像データベース２Ｃは、各種の画像データを記憶する。図４は、画像データベース２Ｃに記憶されるレコードのデータフォーマットである。画像データベース２Ｃは、画像コードと画像データとを含むレコードを、画像データの数だけ記憶する。画像データは、各料理品目の一覧用画像データ、サイズ別の三次元画像データ、サイズ別の比較用画像データ等を含む。画像コードは、対応する画像データを識別するために画像データ毎に割り当てられた固有のコードである。
【００２４】
画面データベース２Ｄは、各種の画面データを記憶する。図５は、画面データベース２Ｄに記憶されるレコードのデータフォーマットである。画面データベース２Ｄは、画面コード、画面名称、レイアウトデータを含むレコードを、画面データの数だけ記憶する。
【００２５】
画面コードは、電子メニュー端末１のディスプレイパネルに表示される各種の画面を識別するために画面毎に割り当てられた固有のコードである。画面名称は、当該画面に設定された名称である。レイアウトデータは、当該画面を構成する各部品の割付位置、大きさ、色等を示すデータである。
【００２６】
ここに、品目データベース２Ｂと画像データベースと２Ｃとは、メニューに掲載される品目毎に、その品目を特定可能な品目特定データ（品目コード，品目名称等）とその品目の略実寸大の不透明の三次元画像を表わす第１の画像データ（三次元画像データ）とその品目の略実寸大の半透明の三次元画像を表わす第２の画像データ（比較用画像データ）とを含むメニューデータを記憶するメニューデータ記憶部を構成する。
【００２７】
次に、電子メニュー端末１について説明する。電子メニュー端末１は、飲食店のメニューに掲載されている料理品目の一覧を電子的に表示するための電子メニュー装置としての機能と、メニューの中から客が注文した料理品目を注文管理サーバに伝達するオーダ入力装置としての機能とを有する。
【００２８】
図６は、電子メニュー端末１のブロック構成図である。電子メニュー端末１は、Central Processing Unit（ＣＰＵ）１１、Read Only Memory（ＲＯＭ）１２、Random Access Memory（ＲＡＭ）１３、通信インターフェース１４、表示コントローラ１５及びタッチパネルコントローラ１６を備えたコンピュータ機器である。
【００２９】
通信インターフェース１４には、ＬＡＮ４が接続される。電子メニュー端末１は、通信インターフェース１４を介してデータベースサーバ２にアクセスし、各データベース２Ａ，２Ｂ，２Ｃ，２Ｄのデータを取り込むことができる。また、電子メニュー端末１は、通信インターフェース１４を介して注文管理サーバ３にアクセスし、客の注文データを送信することができる。通信インターフェース１４は、通信部を構成する。
【００３０】
表示コントローラ１５は、立体視ディスプレイ１７を接続している。タッチパネルコントローラ１６は、タッチパネル１８を接続している。タッチパネル１８は、立体視ディスプレイ１７の画面に重ねて設けられている。
【００３１】
立体視ディスプレイ１７は、三次元画像を立体視可能に表示する。本実施の形態では、特殊な眼鏡が不要な裸眼式の立体視ディスプレイを使用する。裸眼式立体視ディスプレイには、２眼表示方式（ヘッドトラッキング方式、スキャナバックライト方式等）や多眼表示方式（ステップバリア方式、斜めレンチ方式等）等がある。本発明において、表示方式は特に限定されない。眼鏡式の立体視ディスプレイを使用してもよいが、飲食店向けの電子メニュー端末としての用途を考慮すると、裸眼式立体視ディスプレイのほうが好ましい。
【００３２】
立体視ディスプレイ１７は、図７に示すように、飲食店用テーブル２１の天板２２に埋め込まれる。そして、立体視ディスプレイ１７の画面１７ａに重ねて、タッチパネル１８が配設される。
【００３３】
図７は、略矩形状をなす天板２２の各辺にそれぞれ１名ずつの席２３ａ，２３ｂ，２３ｃ，２３ｄが用意された飲食店用テーブル２１に対する立体視ディスプレイ１７の取付例である。図７に示すように、各席２３ａ〜２３ｄの正面に立体視ディスプレイ１７がそれぞれ取り付けられている。
【００３４】
飲食店用テーブル２１に着いた客は、自身の手前にある立体視ディスプレイ１７を操作して、電子的に表示されるメニューのなかから所望の料理品目を注文する。このときの立体視ディスプレイ１７に表示される画面の変遷図を図８に示す。画面には、カテゴリ画面４０、品目一覧画面５０、品目詳細画面６０、セット品目詳細画面７０、注文確認画面８０及び注文完了画面９０がある。また、品目詳細画面６０またはセット品目詳細画面７０は、それぞれ品目比較画面またはセット品目比較画面に変化する。
【００３５】
図９は、カテゴリ画面４０の一レイアウト例である。図１０は、品目一覧画面５０の一レイアウト例である。図１１は、品目詳細画面６０の一レイアウト例である。図１２は、セット品目詳細画面７０の一レイアウト例である。図１３は、注文確認画面８０の一レイアウト例である。図１４は、注文完了画面９０の一レイアウト例である。
【００３６】
ＣＰＵ１１は、ＲＯＭ１２に格納された電子メニュープログラム３０に従い、各画面４０〜９０の表示処理を制御する。この制御を実現するために、ＣＰＵ１１は、リスト表示制御手段１０１、選択品目受付手段１０２、比較品目受付手段１０３、比較画像表示制御手段１０４及び注文受付手段１０５としての機能を有する。各機能は、図１５乃至図２０の流れ図によって具体的に説明される。
【００３７】
以下、一人の客が電子メニューから料理品目を選択し注文を完了するまでの客の操作手順と、この操作に対するＣＰＵ１１の処理手順を、図１５乃至図２０の流れ図を用いて説明する。
【００３８】
電子メニュープログラム３０が起動し、アイドル状態にある電子メニュー端末１のＣＰＵ１１は、図１５のステップＳＴ１に示すように、タッチパネル１８からの信号を待機している。
【００３９】
飲食店用テーブル２１に着いた客は、注文を開始するに先立ち、自席の前にある立体視ディスプレイ１７の画面にタッチする。画面がタッチされると、タッチパネル１８からの信号がタッチパネルコントローラ１６に入力される。タッチパネル１８からの信号を検知すると、ＣＰＵ１１は、注文品目リストメモリ３１をクリアする（ＳＴ２）。注文品目リストメモリ３１は、ＲＡＭ１３に形成されている。
【００４０】
次いで、ＣＰＵ１１は、画面データベース２Ｄからカテゴリ画面４０のレコードを取り込む（ＳＴ３）。そして、このレコードの各種設定情報に基づいて、ＣＰＵ１１は、カテゴリ画面４０を作成し（ＳＴ４）、立体視ディスプレイ１７に表示させる（ＳＴ５）。
【００４１】
カテゴリ画面４０は、メニューの各品目を分類するカテゴリを客に紹介し、いずれかのカテゴリの選択を受け付ける画面である。図９に示すように、カテゴリ画面４０には、カテゴリ別に用意された複数（図では６個）のカテゴリボタン４１（４１-1，４１-2，４１-3，４１-4，４１-5，４１-6）が表示されている。カテゴリ画面４０を閲覧した客は、所望のカテゴリ名が表示されているいずれか１つのカテゴリボタン４１-i（１≦ｉ≦６）にタッチして、そのカテゴリを選択する。
【００４２】
ＣＰＵ１１は、カテゴリが選択されるのを待機する（ＳＴ６）。いずれか１つのカテゴリボタン４１-iがタッチされると、タッチパネル１８から信号がタッチパネルコントローラ１６に入力される。タッチパネル１８からの信号を検知すると、ＣＰＵ１１は、その信号により、どのカテゴリボタン４１-iがタッチされたか、すなわち、どのカテゴリが選択されたかを判別する。カテゴリが選択されると（ＳＴ６のＹＥＳ）、ＣＰＵ１１は、図１６の流れ図で具体的に示すカテゴリ選択処理を開始する（ＳＴ７）。
【００４３】
先ず、ＣＰＵ１１は、画面データベース２Ｄから品目一覧画面５０のレコードを取り込む（ＳＴ１１）。また、ＣＰＵ１１は、品目データベース２Ｂから、選択されたカテゴリに属する料理品目のレコードを全て取り込む（ＳＴ１２）。
【００４４】
次に、ＣＰＵ１１は、各料理品目のレコードから一覧用画像コードを抽出する。そして、ＣＰＵ１１は、画像データベース２Ｃから、抽出された一覧用画像コードで特定される一覧用画像データがセットされたレコードを全て取り込む（ＳＴ１３）。
【００４５】
ＣＰＵ１１は、上記ＳＴ１１乃至ＳＴ１３の各処理でそれぞれ取得したレコードの各種データに基づいて品目一覧画面５０を作成し（ＳＴ１４）、立体視ディスプレイ１７に表示させる（ＳＴ１５：リスト表示制御手段１０１）。
【００４６】
品目一覧画面５０は、選択されたカテゴリに属するメニューの品目を客に紹介し、いずれかの品目の注文を受け付ける画面である。図１０に示すように、品目一覧画面５０には、複数（図では６個）の品目画像表示欄５１が形成されている。また、各品目画像表示欄５１にそれぞれ対応させて、詳細ボタン５２と注文ボタン５３とがそれぞれ表示されている。さらに、戻りボタン５４、前頁ボタン５５及び次頁ボタン５６が表示されている。これらの画面構成要素５１〜５６は、品目一覧画面５０のレコードに含まれている。
【００４７】
各品目画像表示欄５１には、それぞれ選択されたカテゴリに属する品目の一覧用画像が表示される。また、その品目の名称も画像の左上に表示される。一覧用画像は、画像データベース２Ｃから取り込んだレコードの一覧用画像データで形成される。品目の名称は、品目データベース２Ｂから取り込んだレコードに記録されている。なお、選択されたカテゴリに属する品目の数が品目画像表示欄５１の数を超える場合には、品目一覧画面５０が複数頁に分割されて形成される。そして、最初は１頁目が表示される。
【００４８】
品目一覧画面５０を閲覧したが、注文したい料理品目が見つからなかった場合、客は、カテゴリを変更するか否かを決める。カテゴリを変更しない場合、客は、前頁ボタン５５または次頁ボタン５６をタッチする。前頁ボタン５５または次頁ボタン５６がタッチされると（ＳＴ１６のＹＥＳ）、ＣＰＵ１１は、品目一覧画面５０の頁を切り換える（ＳＴ１７）。そしてＣＰＵ１１は、頁が切り換えられた後の品目一覧画面５０を立体視ディスプレイ１７に表示させる（ＳＴ１５）。すなわち、前頁ボタン５５がタッチされた場合には、品目一覧画面５０を１頁前に切り換える。次頁ボタン５６がタッチされた場合には１頁後に切り換える。なお、１頁目のときには、前頁ボタン５５は機能しない。最終頁目のときには、次頁ボタン５６は機能しない。
【００４９】
カテゴリを変更する場合、客は、戻りボタン５４をタッチする。戻りボタン５４がタッチされると（ＳＴ１８のＹＥＳ）、ＣＰＵ１１は、立体視ディスプレイ１７の画面をカテゴリ画面４０に戻す（ＳＴ５）。
【００５０】
注文したい料理品目の詳細を確認する場合、客は、その品目の二次元画像が表示された品目画像表示欄５１に対応した詳細ボタン５２をタッチする。詳細ボタン５２がタッチされると（ＳＴ１９のＹＥＳ：選択品目受付手段１０２）、ＣＰＵ１１は、図１７の流れ図で具体的に示す品目詳細画面表示処理を実行する（ＳＴ２０）。
【００５１】
先ず、ＣＰＵ１１は、画面データベース２Ｄから品目詳細画面６０のレコードを取り込む（ＳＴ３１）。次に、品目データベース２Ｂから選択品目のレコードを取り込む。選択品目は、タッチ操作された詳細ボタン５２に対応する品目画像表示欄５１に一覧用画像が表示されている料理品目である。
【００５２】
ＣＰＵ１１は、選択品目のレコードから三次元画像コードを抽出する。選択品目がＳ，Ｍ，Ｌのサイズを選択できる料理品目の場合は、Ｍサイズの三次元画像コードを抽出する。三次元画像コードを抽出すると、ＣＰＵ１１は、画像データベース２Ｃから、その三次元画像コードで特定される三次元画像データがセットされたレコードを取り込む（ＳＴ３２）。ＣＰＵ１１は、上記ＳＴ３１〜ＳＴ３２の各処理でそれぞれ取得したレコードの各種データに基づいて品目詳細画面６０を作成し（ＳＴ３３）、立体視ディスプレイ１７に表示させる（ＳＴ３４）。
【００５３】
品目詳細画面６０は、選択品目の詳細情報を客に紹介し、注文を受け付ける画面である。図１１に示すように、品目詳細画面６０には、品目詳細画像表示欄６１が形成されている。また、単価表示欄６２、上下スピンボタン６３付のエディットフィールド６４、金額表示欄６５、サイズ選択ボタン６６、サイズ比較ボタン６７、セットボタン６８、戻りボタン６９及び注文ボタン６１０が表示されている。これらの画面構成要素６１〜６１０は、品目詳細画面６０のレコードに含まれている。
【００５４】
品目詳細画像表示欄６１には、選択品目の三次元画像が表示される。三次元画像は、画像データベース２Ｃから取り込んだレコードの三次元画像データにより形成される。三次元画像の大きさは、選択品目の略実寸大に設定されている。したがって、品目詳細画面６０を閲覧した客は、三次元画像から料理品目のボリューム感を正しく認識することができる。
【００５５】
単価表示欄６２には、選択品目のレコードから読み出した単価が表示される。エディットフィールド６４には注文数量の初期値 “１”が表示される。金額表示欄６５には、選択品目の単価に注文数量を乗算した金額が表示される。
【００５６】
選択品目を注文しない場合、客は、戻りボタン６９をタッチする。戻りボタン６９がタッチされると（ＳＴ３５のＹＥＳ）、ＣＰＵ１１は、立体視ディスプレイ１７の画面を直前の品目一覧画面５０に戻す（ＳＴ１５）。
【００５７】
選択品目の注文点数を変更する場合、客は、スピンボタン６３をタッチする。スピンボタン６３がタッチされると（ＳＴ３６のＹＥＳ）、ＣＰＵ１１は、エディットフィールド６４の注文数量を“１”ずつ増減する。また、金額を再計算し、金額表示欄６５の値を更新する（ＳＴ３７）。
【００５８】
サイズ選択ボタン６６及びサイズ比較ボタン６７は、選択品目がサイズを選択できる品目、すなわちサイズ選択フラグが有効な料理品目の場合に表示される。選択品目のサイズを変更する場合、客はサイズ選択ボタン６６の中から変更後のサイズ「Ｓ」，「Ｍ」または「Ｌ」が表示されたボタンにタッチする。例えば、サイズ「Ｓ」の選択ボタン６６がタッチされると（ＳＴ３８のＹＥＳ）、ＣＰＵ１１は、選択品目のレコードからＳサイズの三次元画像コードを抽出する。そして、画像データベース２Ｃから、当該Ｓサイズの三次元画像コードで特定される三次元画像データがセットされたレコードを取り込む。ＣＰＵ１１は、品目詳細画像表示欄６１の画像を選択品目のＳサイズの三次元画像に変更する（ＳＴ３９）。
【００５９】
同様に、サイズ「Ｌ」の選択ボタン６６がタッチされた場合には（ＳＴ３８のＹＥＳ）、ＣＰＵ１１は、選択品目のレコードからＬサイズの三次元画像コードを抽出する。そして、画像データベース２Ｃから、当該Ｌサイズの三次元画像コードで特定される三次元画像データがセットされたレコードを取り込む。ＣＰＵ１１は、品目詳細画像表示欄６１の画像を選択品目のＬサイズの三次元画像に変更する（ＳＴ３９）。したがって、選択品目のサイズを変更した客は、品目詳細画像表示欄６１に表示される三次元画像から、サイズを変更した場合の料理品目のボリューム感を正しく認識することができる。
【００６０】
選択品目のサイズを変更したときのボリューム感の違いを把握したい場合、客は、サイズ比較ボタン６７をタッチする。例えば、「Ｍ」サイズから「Ｓ」サイズに変更したときのボリューム感の違いを把握したい場合、客は、サイズ比較ボタン６７の中の「Ｓ」が表示されたボタンにタッチする。
【００６１】
サイズ比較ボタン６７がタッチされると（ＳＴ４０のＹＥＳ：比較品目受付手段１０３）、ＣＰＵ１１は、図１９の流れ図で具体的に示す比較画面表示処理を実行する（ＳＴ４１）。
【００６２】
先ず、ＣＰＵ１１は、選択品目のサイズＡと、比較品目のサイズＢとを比較する（ＳＴ７１）。選択品目のサイズは、Ｍサイズ若しくはサイズ変更ボタン６６によって選択されたサイズである。比較品目のサイズは、サイズ比較ボタン６７によって選択されたサイズである。この場合、選択品目と比較品目とは同一品目である。
【００６３】
サイズＡとサイズＢとを比較した結果、等しい場合には（ＳＴ７２のＹＥＳ）、比較画面表示処理が終了する。
【００６４】
サイズＡがサイズＢより大きい場合には（ＳＴ７２のＮＯ、ＳＴ７３のＹＥＳ）、ＣＰＵ１１は、比較品目のレコードからサイズＢの比較用画像コードを抽出する。そして、画像データベース２Ｃから、その比較用画像コードで特定される比較用画像データがセットされたレコードを取り込む（ＳＴ７４）。ＣＰＵ１１は、品目詳細画像表示欄６１に表示されている選択品目の三次元画像より手前側に、比較用画像データにより形成される半透明の三次元画像を重ねて表示させる（ＳＴ７５：比較画像表示制御手段１０４）。以上で、比較画面表示処理は終了する。
【００６５】
サイズＡがサイズＢより小さい場合には（ＳＴ７２のＮＯ、ＳＴ７３のＮＯ）、ＣＰＵ１１は、比較品目のレコードからサイズＢの比較用画像コードを抽出する。そして、画像データベース２Ｃから、その比較用画像コードで特定される比較用画像データがセットされたレコードを取り込む（ＳＴ７６）。ＣＰＵ１１は、品目詳細画像表示欄６１に表示されている選択品目の三次元画像より奥側に、比較用画像データにより形成される半透明の三次元画像を重ねて表示させる（ＳＴ７７：比較画像表示制御手段１０４）。以上で、比較画面表示処理は終了する。
【００６６】
したがって、例えば選択品目がＭサイズであり比較品目が同一品目のＳサイズ（Ｍ＞Ｓ）であった場合には、Ｍサイズの三次元画像の上に重ねられてＳサイズの三次元画像が表示される。このとき、Ｍサイズの三次元画像は不透明であり、Ｓサイズの三次元画像は半透明であるので、Ｓサイズの三次元画像の輪郭がＭサイズの三次元画像の上に重なって表示される。したがって、品目詳細画像表示欄６１に表示される２種類の三次元画像により、客は、サイズの異なる同一品目のボリューム感の違いを正しく認識することができる。
【００６７】
品目詳細画像表示欄６１に三次元画像が立体視可能に表示されている選択品目を注文する場合、客は、注文ボタン６１０をタッチする。注文ボタン６１０がタッチされると（ＳＴ４４のＹＥＳ：注文受付手段）、ＣＰＵ１１は、選択品目のレコードを注文品目のデータとして注文品目リストメモリ３１に登録する（ＳＴ４５）。このとき、注文数量と金額も注文品目のデータに組み込む。選択品目のサイズが変更された場合には、変更後のサイズデータも注文品目のデータに組み込む。しかる後、ＣＰＵ１１は、後述する注文確認画面表示処理を実行する（ＳＴ４６）。
【００６８】
セットボタン６８は、セットメニューを有する品目、すなわちセットフラグが有効な料理品目の場合に表示される。セット品目の詳細を確認する場合、客は、セットボタン６８をタッチする。セットボタン６８がタッチされると（ＳＴ４２のＹＥＳ）、ＣＰＵ１１は、図１８に具体的に示すセット画面表示処理を実行する（ＳＴ４３）。
【００６９】
先ず、ＣＰＵ１１は、画面データベース２Ｄからセット品目詳細画面７０のレコードを取り込む（ＳＴ５１）。また、選択品目のレコードからセット品目コードを抽出する。そして、品目データベース２Ｂからこのセット品目コードを含むセット品目のレコードを取り込む（ＳＴ５２）。
【００７０】
次に、ＣＰＵ１１は、セット品目のレコードからメインアイテムの三次元画像コードと各サブアイテムの三次元画像コードとを抽出する。サブアイテムは、Ｍサイズの三次元画像コードを抽出する。各アイテムの三次元画像コードを抽出すると、ＣＰＵ１１は、画像データベース２Ｃから、三次元画像コード毎にそのコードで特定される三次元画像データがセットされたレコードをそれぞれ取り込む（ＳＴ５３）。ＣＰＵ１１は、上記ＳＴ５１〜ＳＴ５３の各処理でそれぞれ取得したレコードの各種データに基づいてセット品目詳細画面７０を作成し（ＳＴ５４）、立体視ディスプレイ１７に表示させる（ＳＴ５５）。
【００７１】
セット品目詳細画面７０は、セット品目の詳細情報を客に紹介し、注文を受け付ける画面である。図１２に示すように、セット品目詳細画面７０には、セット品目詳細画像表示欄７１が形成されている。また、単価表示欄７２、上下スピンボタン７３付のエディットフィールド７４、金額表示欄７５、サイズ選択ボタン７６、サイズ比較ボタン７７、戻りボタン７８及び注文ボタン７９が表示されている。これらの画面構成要素７１〜７９は、セット品目詳細画面７０のレコードに含まれている。
【００７２】
セット品目詳細画像表示欄７１には、セット品目を構成するメインアイテムとサブアイテムの三次元画像が並べて表示される。各三次元画像は、画像データベース２Ｃから取り込んだレコードの三次元画像データによりそれぞれ形成される。三次元画像の大きさは、各アイテムの略実寸大に設定されている。したがって、セット品目詳細画面７０を閲覧した客は、各三次元画像からセット品目のボリューム感をアイテム毎に正しく認識することができる。
【００７３】
単価表示欄７２には、セット品目のレコードから読み出した単価が表示される。エディットフィールド７４には注文数量の初期値として“１”が表示される。金額表示欄７５には、セット品目の単価に注文数量を乗算した金額が表示される。
【００７４】
セット品目を注文しない場合、客は、戻りボタン７８をタッチする。戻りボタン７８がタッチされると（ＳＴ５６のＹＥＳ）、ＣＰＵ１１は、立体視ディスプレイ１７の画面を直前の品目一覧画面５０に戻す（ＳＴ１５）。
【００７５】
セット品目の注文点数を変更する場合、客は、スピンボタン７３をタッチする。スピンボタン７３がタッチされると（ＳＴ５７のＹＥＳ）、ＣＰＵ１１は、エディットフィールド７４の注文数量を“１”ずつ増減する。また、金額を再計算し、金額表示欄７５の値を更新する（ＳＴ５８）。
【００７６】
サイズ選択ボタン７６及びサイズ比較ボタン７７は、サイズの変更が可能なサブアイテム毎に表示される。サブアイテムのサイズを変更する場合、客はそのアイテムに対応したサイズ選択ボタン７６の中から変更後のサイズ「Ｓ」，「Ｍ」または「Ｌ」が表示されたボタンにタッチする。例えば、画面中央のサブアイテムに対応したサイズ「Ｓ」の選択ボタン７６がタッチされると（ＳＴ５９のＹＥＳ）、ＣＰＵ１１は、セット品目のレコードから該当アイテムのＳサイズの三次元画像コードを抽出する。そして、画像データベース２Ｃから、当該Ｓサイズの三次元画像コードで特定される三次元画像データがセットされたレコードを取り込む。ＣＰＵ１１は、セット品目詳細画像表示欄７１の該当アイテムの画像を、Ｓサイズの三次元画像に変更する（ＳＴ６０）。
【００７７】
同様に、画面右側のサブアイテムに対応したサイズ「Ｌ」の選択ボタン７６がタッチされた場合には（ＳＴ５９のＹＥＳ）、ＣＰＵ１１は、セット品目のレコードから該当アイテムのＬサイズの三次元画像コードを抽出する。そして、画像データベース２Ｃから、当該Ｌサイズの三次元画像コードで特定される三次元画像データがセットされたレコードを取り込む。ＣＰＵ１１は、セット品目詳細画像表示欄７１の該当アイテムの画像を、Ｌサイズの三次元画像に変更する（ＳＴ６０）。
【００７８】
サブアイテムのサイズを変更したときのボリューム感の違いを把握したい場合、客は、該当アイテムに対応したサイズ比較ボタン７７をタッチする。例えば、「Ｍ」サイズから「Ｓ」サイズに変更したときのボリューム感の違いを把握したい場合、客は、サイズ比較ボタン６７の「Ｓ」が表示されたボタンにタッチする。
【００７９】
サイズ比較ボタン７７がタッチされると（ＳＴ６１のＹＥＳ：比較品目受付手段１０３）、ＣＰＵ１１は、図１９の流れ図で示した比較画面表示処理と同様の処理を実行する（ＳＴ６２：比較画像表示制御手段１０４）。
【００８０】
図２１は、メインアイテムが「ハンバーガー」であり、サブアイテムが「フライドポテト」と「ドリンク」の組合せからなるセット品目を選択したときのセット品目詳細画面７０の一例である。具体的には、Ｌサイズの「フライドポテト」と「ドリンク」とを選択した状態で、Ｓサイズの「フライドポテト」と「ドリンク」を比較対象としてサイズ比較ボタン７７により指定した場合である。
【００８１】
図２１に示すように、Ｌサイズの「フライドポテト」と「ドリンク」の各三次元画像は、不透明の画像で表示されている。一方、比較対象であるＳサイズの「フライドポテト」と「ドリンク」の各三次元画像は、半透明の画像で表示されている。そして、選択アイテムよりも比較アイテムの方がサイズが小さいので、Ｌサイズの「フライドポテト」と「ドリンク」の各三次元画像の上にＳサイズの「フライドポテト」と「ドリンク」の各三次元画像が重ねて表示されている。
【００８２】
したがって、セット品目詳細画像表示欄７１に表示される各三次元画像により、客は、セット品目を構成するサブアイテムのサイズを変更したときのボリューム感の違いを、正しく認識することができる。
【００８３】
セット品目詳細画像表示欄７１に三次元画像が立体視可能に表示されているセット品目を注文する場合、客は、注文ボタン７９をタッチする。注文ボタン７９がタッチされると（ＳＴ６３のＹＥＳ：注文受付手段）、ＣＰＵ１１は、セット品目のレコードを注文品目のデータとして注文品目リストメモリ３１に登録する。このとき、注文数量と金額も注文品目のデータに組み込む。サイズが選択された場合には、そのサイズデータも注文品目のデータに組み込む（ＳＴ６４）。しかる後、ＣＰＵ１１は、後述する注文確認画面表示処理を実行する（ＳＴ６５）。
【００８４】
なお、品目一覧画面５０に表示されている料理品目については、その品目の二次元画像が表示された品目画像表示欄５１-ｊ（１≦ｊ≦６）に対応した注文ボタン５３−ｊをタッチすることで、詳細を確認することなく注文することができる。この場合、ＣＰＵ１１は、選択品目のレコードを注文品目のデータとして注文品目リストメモリ３１に登録する（ＳＴ２２）。このとき、注文数量と金額も注文品目のデータに組み込む。しかる後、ＣＰＵ１１は、注文確認画面表示処理を実行する（ＳＴ２３）。
【００８５】
図２０は、注文確認画面表示処理の手順を示す流れ図である。注文確認画面表示処理に入ると、ＣＰＵ１１は、画面データベース２Ｄから注文確認画面８０のレコードを取り込む（ＳＴ８１）。そして、このレコードのデータに基づいて注文確認画面８０を作成し（ＳＴ８２）、立体視ディスプレイ１７に表示させる（ＳＴ８３）。
【００８６】
注文確認画面８０は、注文した内容を客に確認させる画面である。図１３に示すように、注文確認画面８０には、注文した品目の品名、数量及び金額からなる明細表示欄８１と、合計金額表示欄８２とが形成されている。明細表示欄８１には、明細行毎に取消ボタン８３が形成されている。また、戻りボタン８４と送信ボタン８５とが表示されている。
【００８７】
ＣＰＵ１１は、注文情報記憶部である注文品目リストメモリ３１を検索して、注文品目のデータが登録されているか否かを判断する（ＳＴ８４）。登録されている場合（ＳＴ８４のＹＥＳ）、ＣＰＵ１１は、その登録データから注文品目の名称、注文数量，金額を取得し、合計金額を算出する（ＳＴ８５）。そして、注文確認画面８０の明細表示欄８１に、注文品目の名称、注文数量，金額を表示させる。また、合計金額表示欄８２に合計金額を表示させる（ＳＴ８６）。
【００８８】
ＣＰＵ１１は、取消ボタン８３、戻りボタン８４、または送信ボタン８５のいずれかのボタンが入力されるのを待機する。
【００８９】
注文確認画面８０を閲覧し、注文を続ける場合、客は、戻りボタン８４をタッチする。戻りボタン８４がタッチされると（ＳＴ８７のＹＥＳ）、ＣＰＵ１１は、立体視ディスプレイ１７の画面をカテゴリ画面４０に戻す（ＳＴ５）。
【００９０】
注文を取消す場合、客は、明細表示欄８１の取消すべき品目の明細が表示されている行に対応した取消ボタン８３をタッチする。取消ボタン８３がタッチされると（ＳＴ８８のＹＥＳ）、ＣＰＵ１１は、注文品目リストメモリ３１から取消が指示された品目の登録データを削除する（ＳＴ８９）。しかる後、ＣＰＵ１１は、ＳＴ８４の処理に戻る。
【００９１】
注文を確定させる場合、客は、送信ボタン８５をタッチする。送信ボタン８５がタッチされると（ＳＴ９０のＹＥＳ）、ＣＰＵ１１は、通信手段である通信インターフェース１４を介して、注文品目リストメモリ３１に登録されている注文品目のデータを注文管理サーバ３に伝送する（ＳＴ９１）。
【００９２】
次いで、ＣＰＵ１１は、画面データベース２Ｄから注文完了画面９０のレコードを取り込む（ＳＴ９２）。そして、このレコードのデータに基づいて注文完了画面９０を作成し、立体視ディスプレイ１７に表示させる（ＳＴ９３）。
【００９３】
以上で、一人の客の注文が完了する。その後、ＣＰＵ１１は、アイドル状態に戻る。  
なお、注文品目リストメモリ３１を検索した結果、注文品目のデータが登録されていない場合（ＳＴ８４のＮＯ）、ＣＰＵ１１は、戻りボタン８４が入力されるのを待機する（ＳＴ９４）。戻りボタン９４がタッチされると（ＳＴ９４のＹＥＳ）、ＣＰＵ１１は、立体視ディスプレイ１７の画面をカテゴリ画面４０に戻す（ＳＴ５）。
【００９４】
［第２の実施形態］
第１の実施形態では、選択品目と比較品目が同一品目の場合を例示した。第２の実施形態は、選択品目と比較品目が別品目の場合である。
【００９５】
第２の実施形態が第１の実施形態と異なる点は、電子メニュー端末１のＣＰＵ１１が実行するカテゴリ選択処理の手順の一部である。その他は第１の実施形態と共通なので同一部分には同一符号を付し、詳しい説明は省略する。
【００９６】
図２２は、カテゴリ選択処理の第２の実施形態における手順を示す流れ図である。第１の実施の形態の同処理手順を示す図１６と比較すればわかるように、第２の実施形態では、ステップＳＴ１０１とステップＳＴ１０２の処理が追加されている。
【００９７】
すなわち、立体視ディスプレイ１７に品目一覧画面５０を表示させた状態で（ＳＴ１５：リスト表示制御手段１０１）、いずれかの料理品目の一覧用画像が表示されている品目画像表示欄５１がタッチ操作されると（ＳＴ１０１のＹＥＳ）、ＣＰＵ１１は、品目画像選択処理を実行する（ＳＴ１０２）。
【００９８】
品目画像選択処理の手順は、図２３の流れ図によって示される。品目画像選択処理に入ると、ＣＰＵ１１は、先ず、状態判定フラグＦが“１”にセットされているか否かを判断する（ＳＴ１１１）。状態判定フラグＦは、ＲＡＭ１３に記憶されており、初期状態では“０”にリセットされている。
【００９９】
状態判定フラグＦが“１”にセットされていないと（ＳＴ１１１のＮＯ）、ＣＰＵ１１は、タッチ操作された品目画像表示欄５１に一覧用画像が表示されている料理品目の品目コードを、ＲＡＭ１３の選択品目エリアに記憶する（ＳＴ１１２：選択品目受付手段）。また、タッチ操作された品目画像表示欄５１を、他の品目画像表示欄５１と区別可能なように特殊表示する（ＳＴ１１３）。特殊表示の方法は、特に限定されるものではない。例えば、品目画像表示欄５１の枠を太くしたり、枠の色を変えたりしてもよい。あるいは、品目画像表示欄５１に表示されている料理品目の一覧用画像を点滅させて、他の品目画像表示欄５１と区別してもよい。ＣＰＵ１１は、前記状態判定フラグＦを“１”にセットして（ＳＴ１１４）、カテゴリ選択処理のルーチンに戻る。
【０１００】
そして、このルーチンにおいて、詳細ボタン５２、注文ボタン５３、戻りボタン５４、前頁ボタン５５及び次頁ボタン５６のいずれのボタンも入力されることなく、別の品目画像表示欄５１がタッチ操作されると（ＳＴ１０１のＹＥＳ）、ＣＰＵ１１は、再び、品目画像選択処理を実行する（ＳＴ１０２）。ただし今回は、状態判定フラグＦが“１”にセットされているので（ＳＴ１１１のＹＥＳ）、ＣＰＵ１１は、タッチ操作された品目画像表示欄５１に一覧用画像が表示されている料理品目の品目コードを、ＲＡＭ１３の比較品目エリアに記憶する（ＳＴ１１５：比較品目受付手段）。しかる後、図２４に具体的に示す比較画面表示処理を実行する（ＳＴ１１６）。
【０１０１】
先ず、ＣＰＵ１１は、立体視ディスプレイ１７の品目一覧画面５０を比較用画面２００に更新する（ＳＴ１２１）。比較用画面２００は、図２５に示すように、品目一覧画面５０の各品目画像表示欄５１を１つの対比画面表示欄２０１に変更する。また、戻りボタン５４のみを残し、他のボタンは全て消去する。
【０１０２】
次に、ＣＰＵ１１は、選択品目エリアで記憶している品目コードで特定される料理品目、すなわち選択品目の三次元画像データを取得する（ＳＴ１２２）。具体的には、先ず、データベースサーバ２にアクセスして、品目データベース２Ｂから選択品目エリアで記憶している品目コードがセットされたレコードを取り込む。そして、このレコードから三次元画像コードを抽出する。次に、再度、データベースサーバ２にアクセスして、画像データベース２Ｃから当該三次元画像コードがセットされたレコードを取り込む。そして、このレコードから三次元画像データを取得する。
【０１０３】
選択品目の三次元画像データを取得したならば、ＣＰＵ１１は、この三次元画像データに基づく三次元画像を、対比画面表示欄２０１の中心より画面に向かって左側に配置して表示させる（ＳＴ１２３）。
【０１０４】
次に、ＣＰＵ１１は、比較品目エリアで記憶している品目コードで特定される料理品目、すなわち比較品目の比較用画像データを取得する（ＳＴ１２４）。具体的には、先ず、データベースサーバ２にアクセスして、品目データベース２Ｂから比較品目エリアで記憶している品目コードがセットされたレコードを取り込む。そして、このレコードから比較用画像コードを抽出する。次に、再度、データベースサーバ２にアクセスして、画像データベース２Ｃから当該比較用画像コードがセットされたレコードを取り込む。そして、このレコードから比較用画像データを取得する。
【０１０５】
比較品目の比較用画像データを取得したならば、ＣＰＵ１１は、この比較用画像データに基づく比較用画像を、対比画面表示欄２０１の中心より画面に向かって右側に配置して表示させる。このとき、対比画面表示欄２０１の中心より左側に配置されている選択品目の三次元画像と一部が重複するように、かつ、この三次元画像よりも手前側になるように、比較品目の比較用画像を配置する（ＳＴ１２５：比較画像表示制御手段）。
【０１０６】
その後、ＣＰＵ１１は、戻りボタン４３が入力されるのを待機する（ＳＴ１１７）。戻りボタン４３がタッチ操作されると（ＳＴ１１７のＹＥＳ）、ＣＰＵ１１は、立体視ディスプレイ１７の画面を品目一覧画面５０に戻す。このとき、品目画像表示欄５１の特殊表示を解除する（ＳＴ１１８）。しかる後、状態判定フラグＦを“０”にリセットして（ＳＴ１１９）、カテゴリ選択処理のルーチンに戻る。
【０１０７】
このように、同一カテゴリに属する複数の料理品目の一覧用画像が表示されている品目一覧画面５０において、客が、ボリューム感を対比させたい２つの料理品目の画像を続けてタッチ操作して選択すると、これら２品の略実寸大の三次元画像が左右に並べられて立体視ディスプレイ１７に立体視可能に表示させる。このとき、図２２に示すように、２つの料理品目の三次元画像の一部が重複する。ただし、手前側に表示される比較品目の画像は半透明である。このため、２つの三次元画像の輪郭が隠れることはない。したがって、客は、２つの料理品目のボリューム感の違いを正確に比較することができる。
【０１０８】
なお、この発明は前記実施形態そのままに限定されるものではなく、実施段階ではその要旨を逸脱しない範囲で構成要素を変形して具体化できる。
【０１０９】
例えば、前記各実施形態では、選択品目の三次元画像を不透明の画像とし、比較品目の三次元画像を半透明の画像としたが、逆にしてもよい。
【０１１０】
また、第２の実施形態においては、選択品目の三次元画像を画面の左側に配置し、比較品目の三次元画像を画面の右側に配置したが、左右を入替えてもよい。また、選択品目の三次元画像を画面の中央に配置し、複数の比較品目の三次元画像を選択品目の三次元画像の左右または上下に分けて表示させることによって、３つ以上の料理品目のボリューム感の違いを比較できるようにすることも可能である。
【０１１１】
また、前記各実施形態では、電子メニュー端末１のＲＯＭ１２に、電子メニュープログラム３０が予め記録されている場合で説明をしたが、これに限らず同様のプログラムをネットワークから電子メニュー端末１にダウンロードしても良いし、同様のプログラムを記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と協働してその機能を実現させるものであってもよい。
【０１１２】
この他、前記各実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【符号の説明】
【０１１３】
１…電子メニュー端末、２…データベースサーバ、２Ａ…カテゴリデータベース、２Ｂ…品目データベース、２Ｃ…画像データベース、２Ｄ…画面データベース、３…注文管理サーバ、１１…ＣＰＵ、１７…立体視ディスプレイ、１８…タッチパネル、３０…電子メニュープログラム、１０１…リスト表示制御手段、１０２…選択品目受付手段、１０３…比較品目受付手段、１０４…比較画像表示制御手段、１０５…注文受付手段。
【先行技術文献】
【特許文献】
【０１１４】
【特許文献１】特開２００１−１７５９５４号公報
【図１】
2011186830.tif 000003
【図２】
2011186830.tif 000004
【図３】
2011186830.tif 000005
【図４】
2011186830.tif 000006
【図５】
2011186830.tif 000007
【図６】
2011186830.tif 000008
【図７】
2011186830.tif 000009
【図８】
2011186830.tif 000010
【図９】
2011186830.tif 000011
【図１０】
2011186830.tif 000012
【図１１】
2011186830.tif 000013
【図１２】
2011186830.tif 000014
【図１３】
2011186830.tif 000015
【図１４】
2011186830.tif 000016
【図１５】
2011186830.tif 000017
【図１６】
2011186830.tif 000018
【図１７】
2011186830.tif 000019
【図１８】
2011186830.tif 000020
【図１９】
2011186830.tif 000021
【図２０】
2011186830.tif 000022
【図２１】
2011186830.tif 000023
【図２２】
2011186830.tif 000024
【図２３】
2011186830.tif 000025
【図２４】
2011186830.tif 000026
【図２５】
2011186830.tif 000027